(57)【要約】【課題】大型のストッパーや着脱自在の係止具を用いることなく、バッグの荷重を肩と手に分散させることができ、肩掛けベルトが外れた場合の落下防止も防ぐこと。【解決手段】本発明は、バッグに次の手段を採用する。第１に、肩掛けベルトが挿通自在で手提げベルトが固着連結される吊り具がバッグに固着される。第２に、手提げ用握り部材に、吊り具を挿通させた肩掛けベルトと、吊り具に固着連結された一定の長さ有する手提げベルトを固着連結する。第３に、手提げベルトの一定の長さが、手提げ用握り部材でバッグの荷重を受けた場合の手提げ用握り部材のバッグ本体からの高さと、肩掛けベルトでバッグの荷重を受けた場合の手提げ用握り部材のバッグ本体からの高さとの間に、一定の高低差を生じさせる長さとする。第４に、高低差の範囲内で肩掛けベルトと該ベルトに固着連結された手提げ用握り部材への荷重分散を可能とする。【選択図】        図３
2004321388.tif 000002
【特許請求の範囲】
【請求項１】
肩掛けベルトが挿通自在で手提げベルトが固着連結される左右一組の吊り具がバッグに固着され、手提げ用握り部材に、吊り具を挿通させた肩掛けベルトと、吊り具に固着連結された一定の長さを有する手提げベルトとを固着連結した荷重分散型バッグにおいて、手提げベルトの一定の長さが、手提げ用握り部材のみでバッグの荷重を受けた場合の手提げ用握り部材のバッグ本体からの高さと、肩掛けベルトのみでバッグの荷重を受けた場合の手提げ用握り部材のバッグ本体からの高さとの間に、一定の高低差を生じさせる長さであって、上記高低差の範囲内で肩掛けベルトと該ベルトに固着連結された手提げ用握り部材への荷重分散を可能とした荷重分散型バッグ。
【請求項２】
肩掛けベルトが挿通自在で手提げ用リングが固着連結される左右一組の吊り具がバッグに固着され、手提げ用握り部材に、吊り具を挿通させた肩掛けベルトと、吊り具に固着連結された一定の遊び空間を有する手提げ用リングとを固着連結した荷重分散型バッグにおいて、手提げ用リングの一定の遊び空間が、手提げ用握り部材のみでバッグの荷重を受けた場合の手提げ用握り部材のバッグ本体からの高さと、肩掛けベルトのみでバッグの荷重を受けた場合の手提げ用握り部材のバッグ本体からの高さとの間に、一定の高低差を生じさせる空間であって、上記高低差の範囲内で肩掛けベルトと該ベルトに固着連結された手提げ用握り部材への荷重分散を可能とした荷重分散型バッグ。
【請求項３】
バッグの両端付近に肩掛けベルトが挿通自在な肩掛け用吊り具が固着され、バッグ中央付近左右に肩掛けベルトが挿通自在で手提げベルトが固着連結される手提げ用吊り具が固着され、手提げ用握り部材に、肩掛け用吊り具及び手提げ用吊り具を挿通させた肩掛けベルトと、手提げ用吊り具に固着連結された一定の長さを有する手提げベルトとを固着連結した荷重分散型バッグにおいて、手提げベルトの一定の長さが、手提げ用握り部材のみでバッグの荷重を受けた場合の手提げ用握り部材のバッグ本体からの高さと、肩掛けベルトのみでバッグの荷重を受けた場合の手提げ用握り部材のバッグ本体からの高さとの間に、一定の高低差を生じさせる長さであって、上記高低差の範囲内で肩掛けベルトと該ベルトに固着連結された手提げ用握り部材への荷重分散を可能とした荷重分散型バッグ。
【請求項４】
バッグの両端付近に肩掛けベルトが挿通自在な肩掛け用吊り具が固着され、バッグ中央付近左右に肩掛けベルトが挿通自在で手提げ用リングが固着連結される手提げ用吊り具が固着され、手提げ用握り部材に、肩掛け用吊り具及び手提げ用吊り具を挿通させた肩掛けベルトと、手提げ用吊り具に固着連結された一定の遊び空間を有する手提げ用リングとを固着連結した荷重分散型バッグにおいて、手提げ用リングの一定の遊び空間が、手提げ用握り部材のみでバッグの荷重を受けた場合の手提げ用握り部材のバッグ本体からの高さと、肩掛けベルトのみでバッグの荷重を受けた場合の手提げ用握り部材のバッグ本体からの高さとの間に、一定の高低差を生じさせる空間であって、上記高低差の範囲内で肩掛けベルトと該ベルトに固着連結された手提げ用握り部材への荷重分散を可能とした荷重分散型バッグ。
【発明の詳細な説明】
【０００１】
【発明の属する技術分野】
本発明は、肩掛けベルト及び手提げ用握り部を有するバッグの改良に関するもので、バッグの荷重を肩掛けベルトと手提げ用握り部に分散して保持するバッグに関するものである。
【０００２】
【従来の技術】
従来、肩掛けベルト及び手提げ用握り部を有するバッグは、通常に手提げ用握り部により通常に持ち運ぶができると共に、重たい場合には、肩に掛けて楽に搬送できるため、あるいは両手を自由に使えるため、またフアッション性が高いことから、人気があり、多用されている。
【０００３】
しかしながら、肩掛けベルト及び手提げ用握り部を有するバッグの場合、肩掛けベルトを使用して肩に掛けた場合には、肩に全荷重が作用し、一方手提げ用握り部を使用して手で把持した場合には、全荷重が手に作用するものであった。つまり、構成的に、肩掛けベルトを使用して肩に掛けた場合と、手提げ用握り部を使用して手で把持した場合に、体に対するバッグの位置が異なり、肩掛けベルトか手提げ用握り部のいずれか一方でしか持つことができないものである。
【０００４】
このような場合、バッグが非常に重いと、肩あるいは手が痛くなるという不都合があった。なお、仮に、肩掛けベルトを、手提げ用握り部を手で保持した位置で丁度肩掛けベルトが肩に掛かるよう調整しても、歩く場合には体の動作によってこれらの位置関係が常に変わるため、バッグの荷重が肩と手に均等あるいは略均等に作用する状態にはならない。
【０００５】
そこで、特許文献１記載のスーツケースのような肩掛けベルトと手提げ用握り部の両方によって持つことができる、つまりバッグの荷重を肩と手に分散させることも可能なバッグが本件発明者により提供されていた。
【０００６】
特許文献１記載のスーツケースでは、手提げ用握り部で保持する場合には着脱自在の係止具を装着したまま利用し、バッグの荷重を肩と手に分散させる場合には、この係止具をいちいち外さなければならなかった。更に、荷重分散型で利用した場合、肩掛けベルトが肩から外れたときにバッグが地面に落ちてしまう難点があった。
【０００７】
そのため、肩ベルトにストッパーを採用し、着脱自在の係止具を用いない方法が提案された。しかし、この方法では、ストッパーが荷重を受けるため、ストッパーは壊れやすく、耐久性を有するためにはストッパーをかなり大型のものとしなければならなかった。このことはバッグのデザイン上の問題や利用の便から採用できるものではなかった。
【０００８】
【特許文献１】実用新案登録公報  第２５０２１０９号
【０００９】
【発明が解決しようとする課題】
本発明は、上記課題を解決するために提供されたものであって、バッグの荷重を肩と手に分散させることができると共に、大型のストッパーや着脱自在の係止具を用いることなく、手提げ用握り部のみでのバッグの保持や、肩掛けベルトのみでのバッグの保持、更には肩掛けベルトが外れた場合の落下防止をも防ぐことのできる荷重分散型バッグを提供することを目的とする。
【００１０】
【課題を解決するための手段】
第１の発明は、上記課題を解決するため、荷重分散型バッグに次の手段を採用する。
第１に、肩掛けベルトが挿通自在で手提げベルトが固着連結される左右一組の吊り具がバッグに固着される。
第２に、手提げ用握り部材に、吊り具を挿通させた肩掛けベルトと、吊り具に固着連結された一定の長さ有する手提げベルトとを固着連結する。
第３に、手提げベルトの一定の長さが、手提げ用握り部材のみでバッグの荷重を受けた場合の手提げ用握り部材のバッグ本体からの高さと、肩掛けベルトのみでバッグの荷重を受けた場合の手提げ用握り部材のバッグ本体からの高さとの間に、一定の高低差を生じさせる長さとする。
第４に、上記高低差の範囲内で肩掛けベルトと該ベルトに固着連結された手提げ用握り部材への荷重分散を可能とする。
【００１１】
第２の発明は、第１の発明における手提げベルトをリングに変更しものであって、吊り具に固着連結された一定の遊び空間を有する手提げ用リングを手提げ用握り部材に固着連結し、手提げ用リングの一定の遊び空間が、手提げ用握り部材のみでバッグの荷重を受けた場合の手提げ用握り部材のバッグ本体からの高さと、肩掛けベルトのみでバッグの荷重を受けた場合の手提げ用握り部材のバッグ本体からの高さとの間に、一定の高低差を生じさせる空間とし、この高低差の範囲内で肩掛けベルトと該ベルトに固着連結された手提げ用握り部材への荷重分散を可能とした荷重分散型バッグである。
【００１２】
第３の発明は、第１の発明で利用している吊り具を、手提げ用吊り具と肩掛け用吊り具とに分割したものであり、第４の発明は第２の発明で利用している吊り具を、手提げ用吊り具と肩掛け用吊り具とに分割したものであり、実際的製品に近い形のものである。
【００１３】
【発明の実施の形態】
以下、図面に従って、実施例と共に本発明の実施の形態について説明する。図１乃至３は、第１実施例に係る荷重分散型バッグの概略正面図であり、図１が手提げ用握り部材１のみでバッグ２の荷重を受けている状態を示す図であり、図２が肩掛けベルト３のみでバッグ２の荷重を受けている状態を示す図であり、図３がバッグ２の荷重を肩掛けベルト３と手提げ用握り部材２で分散させている状態を示す図である。
【００１４】
バッグ２の上面両端付近に、肩掛けベルト３が挿通自在の肩掛け用吊り具４が装着されている。実施例ではバッグ２の上面両端付近に装着されているが、大型のバッグ２の場合、図示しないがバッグ２の側面やバッグ２の正背面に装着してもよいことは勿論である。
【００１５】
バッグ２の上面で中央付近左右には、肩掛けベルト３が挿通自在で、手提げベルト５が固着連結される手提げ用吊り具６が固着されている。肩掛け用吊り具４及び手提げ用吊り具６は、通常、金属や硬質プラスチック等で作成されたＤ管やＯ管が用いられる。実施例では、肩掛け用吊り具４と手提げ用吊り具６は別個の部材とされているが、図４に示すように両機能を有する一つの吊り具７であってもよい。
【００１６】
手提げ用握り部材１には、肩掛けベルト３と手提げベルト５が連結固着されている。肩掛けベルト３は、手提げ用握り部材１を介してループ状に形成されたもので、肩掛け用吊り具４及び手提げ用吊り具６を挿通している。
【００１７】
図示の実施例では、手提げ用握り部材１は、肩掛けベルト３及び手提げベルト５とは別部材として構成しているが、肩掛けベルト３及び手提げベルト５をループベルトで構成し、手提げ用握り部材１相応部分で、肩掛けベルト３と手提げベルト５とを縫合固定し、手提げ用握り部材１としてもよい。
【００１８】
手提げベルト５は、一定の長さを有しており、手提げ用握り部材１及び手提げ用吊り具６に固着連結されている。ここにおける一定の長さ等は、図１に示す手提げ用握り部材１のみでバッグ２の荷重を受けた場合の手提げ用握り部材１のバッグ２の本体からの高さと、図２に示す肩掛けベルト３のみでバッグ２の荷重を受けた場合の手提げ用握り部材１のバッグ２の本体からの高さとの間に、一定の高低差（図１中矢印が示す間隔）を生じさせる長さとされている。この高低差は個人差もあるが、一例として６ｃｍ内外を想定している。
【００１９】
なお、手提げベルト５は、同様の作用をし、手提げ用握り部材１の高低差を生じさせることができる手提げリングに変更することが可能である。いずれにしろ、上記高低差の範囲内で肩掛けベルト３と、肩掛けベルト３に固着連結された手提げ用握り部材１とで、バッグの荷重分散するのである。
【００２０】
本実施例でのバッグ２の保持状態について、図５乃至図６の部分拡大図の従ってその荷重状態を説明する。図５は、手提げベルト５にのみテンションが掛かった状態を示しており、肩掛けベルト３にはテンションが掛かっていない。手提げベルト５を介して手提げ用握り部材１のみでバッグ２の荷重を受けている。このとき手提げ用握り部材１の位置は高い位置にある。
【００２１】
図６は、手提げベルト５にはテンションが掛かっていないが、他方、肩掛けベルト３にテンションが掛かっている状態を示している。このとき手提げ用握り部材１が手により若干引き上げられており、バッグ２の荷重を手提げ用握り部材１を握った手と肩掛けベルト３のかかった肩で分散して受けている。
【００２２】
図７は、手提げベルト５にはテンションが掛かっていなく、手提げ用握り部材も離されており、肩掛けベルトのかかった肩が全荷重を受けている状態を示している。すなわち肩掛け鞄として利用しているのである。この状態での手提げ用握り部材１は、もっとも低い位置にある。
【００２３】
【発明の効果】
本発明は、肩掛けベルトが挿通自在で手提げベルトが固着連結される左右一組の吊り具がバッグに固着され、手提げ用握り部材に、吊り具を挿通させた肩掛けベルトと、吊り具に固着連結された一定の長さを有する手提げベルトを固着連結した荷重分散型バッグにおいて、手提げベルトの一定の長さが、手提げ用握り部材のみでバッグの荷重を受けた場合の手提げ用握り部材のバッグ本体からの高さと、肩掛けベルトのみでバッグの荷重を受けた場合の手提げ用握り部材のバッグ本体からの高さとの間に、一定の高低差を生じさせる長さであって、上記高低差の範囲内で肩掛けベルトと該ベルトに固着連結された手提げ用握り部材への荷重分散を可能としたものであるので、必要な一定範囲でバッグの荷重を肩と手に分散させることができるものとなった。
【００２４】
更に、本発明では、手提げ用握り部のみでのバッグの保持や肩掛けベルトのみでのバッグの保持も可能な上、肩掛けベルトが外れた場合の落下防止をも防ぐことのできるものとなった。
【００２５】
このことは利用者にとっては、大型のストッパーや着脱自在の係止具を用いることがないため、デザイン上すっきりしたものとなるとともに、着脱動作なしに荷重分散、手提げ利用、肩掛け利用の使い分けができる鞄となった。
また、製造上もストッパーをなくし、ベルトをのみを利用した場合には、外観上の変更がなく、製造上の違和感もなく、工業化が容易となった。
【図面の簡単な説明】
【図１】手提げ用握り部材でバッグ荷重を受けている状態の概略正面図
【図２】肩掛けベルトでバッグ荷重を受けている状態の概略正面図
【図３】荷重分散状態の概略説明図
【図４】吊り具を簡素化したもの
【図５】手提げ用握り具のみでのバッグ保持状態を示す部分拡大図
【図６】荷重分散での保持状態を示す部分拡大図
【図７】肩掛けベルトのみでのバッグ保持状態を示す部分拡大図
【符号の説明】
１．．．．．．手提げ用握り部材
２．．．．．．バッグ
３．．．．．．肩掛けベルト
４．．．．．．肩掛け用吊り具
５．．．．．．手提げベルト
６．．．．．．手提げ用吊り具
７．．．．．．吊り具
【図１】
2004321388.tif 000003
【図２】
2004321388.tif 000004
【図３】
2004321388.tif 000005
【図４】
2004321388.tif 000006
【図５】
2004321388.tif 000007
【図６】
2004321388.tif 000008
【図７】
2004321388.tif 000009